(57)【要約】【課題】軽量で、調節可能で、マスクに対する快適な装着性が得られる保護用アイウエアを提供する。【解決手段】本発明に係るアイウエア１０は、ユーザの両目１８を覆うように構成された少なくとも１つのレンズ１２と、アイウエア１０の少なくとも一部に取り付けられた一対のイヤーピース２８と、イヤーピース２８の少なくとも一部に結合され、かつ、マスク５０と結合されるように構成されたフックアセンブリ５４とを備える。【選択図】図１
2009535079.tif 000002
【特許請求の範囲】
【請求項１】
ユーザの両目を保護するためのアイウエアであって、
ユーザの顔から所定距離離れて位置し、ユーザの両目を前記所定距離離れて覆うように構成され、ユーザの鼻の近傍に位置する第１の部分及びユーザの目の外縁の近傍に位置する第２の部分を有する少なくとも１つのレンズと、
前記アイウエアの少なくとも一部に取り付けられた一対のイヤーピースと、
前記アイウエアの少なくとも一部に結合され、かつ、マスクと結合されるように構成された少なくとも１つのアダプタとを備えることを特徴とするアイウエア。
【請求項２】
請求項１に記載のアイウエアであって、
前記アダプタが、前記アイウエア及び前記マスクの両方に結合可能とするための結合手段を含むことを特徴とするアイウエア。
【請求項３】
請求項２に記載のアイウエアであって、
前記アダプタが、磁石を含むことを特徴とするアイウエア。
【請求項４】
請求項２に記載のアイウエアであって、
前記アダプタが、フックアンドループ材料から構成されることを特徴とするアイウエア。
【請求項５】
請求項２に記載のアイウエアであって、
前記アダプタが、舌片及び溝からなる指し込み式構造の一方を有し、
前記アイウエアが、前記舌片及び溝からなる指し込み式構造の他方を有し、
前記舌片及び溝からなる指し込み式構造によって前記アダプタを前記アイウエアに結合させるようにしたことを特徴とするアイウエア。
【請求項６】
請求項５に記載のアイウエアであって、
前記アダプタに舌片及び溝からなる指し込み式構造の一方を設け、
前記マスクに前記舌片及び溝からなる指し込み式構造の他方を設け、
前記舌片及び溝からなる指し込み式構造によって前記マスクを前記アダプタに結合させるようにしたことを特徴とするアイウエア。
【請求項７】
請求項２に記載のアイウエアであって、
前記アダプタが接着剤であることを特徴とするアイウエア。
【請求項８】
請求項７に記載のアイウエアであって、
前記アダプタが凝集性接着剤であることを特徴とするアイウエア。
【請求項９】
請求項２に記載のアイウエアであって、
前記アダプタが機械的ファスナを含むことを特徴とするアイウエア。
【請求項１０】
請求項１に記載のアイウエアであって、
前記各イヤーピースが、少なくとも１つの磁石を有することを特徴とするアイウエア。
【請求項１１】
請求項１０に記載のアイウエアであって、
前記イヤーピースと磁気的に結合するための、ファスナとフックコネクタとを含むフックアッセンブリをさらに備え、
前記フックコネクタが、前記イヤーピースと磁気的に結合するように構成された少なくとも１つの磁石を有し、
前記ファスナが、マスクの周縁部分と結合するように構成され、
前記マスクを前記アイウエアに結合させたときに、前記フックアッセンブリによって前記マスクが前記アイウエアに対して保持されるようにしたことを特徴とするアイウエア。
【請求項１２】
アイウエアをマスクに対して保持するためのアダプタであって、
前記アイウエアの少なくとも一部を前記マスクの少なくとも一部に、前記アイウエアと前記マスクとを互いに着脱自在に結合させるように構成された結合手段を備えることを特徴とするアダプタ。
【請求項１３】
請求項１２に記載のアダプタであって、
前記結合手段が、前記アダプタに設けられた別の磁石を含み、
前記アイウエアが、該アイウエアを前記アダプタに着脱自在に結合させるように機能する別の磁石をさらに含むことを特徴とするアダプタ。
【請求項１４】
請求項１３に記載のアダプタであって、
前記マスクが、該マスクを前記アダプタに着脱自在に結合させるように機能する別の磁石をさらに含むことを特徴とするアダプタ。
【請求項１５】
請求項１２に記載のアダプタであって、
前記結合手段が、前記アダプタに設けられたフックアンドループ材料を含み、
前記アイウエアが、該アイウエアを前記アダプタに着脱自在に結合させるように機能するフックアンドループ材料をさらに含むことを特徴とするアダプタ。
【請求項１６】
請求項１５に記載のアダプタであって、
前記マスクが、該マスクを前記アダプタに着脱自在に結合させるように機能するフックアンドループ材料をさらに含むことを特徴とするアダプタ。
【請求項１７】
請求項１２に記載のアダプタであって、
前記結合手段が、前記アダプタに提供された粘着剤を含み、
前記アイウエアが、前記アイウエアを前記アダプタに着脱自在に結合させるように機能する接着剤をさらに含むことを特徴とするアダプタ。
【請求項１８】
請求項１７に記載のアダプタであって、
前記接着剤が、凝集性接着剤であることを特徴とするアダプタ。
【請求項１９】
請求項１７に記載のアダプタであって、
前記マスクが、前記マスクを前記アダプタに着脱自在に結合させるように機能する接着剤さらに含むことを特徴とするアダプタ。
【請求項２０】
請求項２１に記載のアダプタであって、
前記接着剤が、凝集性接着剤であることを特徴とするアダプタ。
【請求項２１】
請求項２１に記載のアダプタであって、
前記結合手段が、前記アダプタに設けられた舌片及び溝からなる指し込み式構造の一方を有し、
前記アイウエアが、前記舌片及び溝からなる指し込み式構造の他方を有し、
前記舌片及び溝からなる指し込み式構造によって前記アイウエアを前記アダプタに着脱自在に結合させるようにしたことを特徴とするアダプタ。
【請求項２２】
請求項２１に記載のアダプタであって、
前記結合手段が、舌片及び溝からなる指し込み式構造の一方を有し、
前記マスクが、前記舌片及び溝からなる指し込み式構造の他方を有し、
前記舌片及び溝からなる指し込み式構造によって前記マスクを前記アダプタに着脱自在に結合させるようにしたことを特徴とするアダプタ。
【請求項２３】
請求項１２に記載のアダプタであって、
前記アダプタが前記マスク及び前記アイウエアとに結合され、
前記アイウエアがイヤーピースを具備しておらず、
前記マスクと前記アダプタとで協力して、前記アイウエアをユーザの両目の上の位置で保持するようにしたことを特徴とするアダプタ。
【請求項２４】
請求項１２に記載のアダプタであって、
前記結合手段が、前記アダプタに設けられた機械的ファスナの一方を有し、
前記アイウエアが、前記機械的ファスナの他方を有し、
前記機械的ファスナによって前記アイウエアを前記アダプタに着脱自在に結合させるようにしたことを特徴とするアダプタ。
【請求項２５】
請求項２４に記載のアダプタであって、
前記結合手段が、前記アダプタに設けられた機械的ファスナの一方を有し、
前記マスクが、前記機械的ファスナの他方を有し、
前記機械的ファスナによって前記マスクを前記アダプタに着脱自在に結合させるようにしたことを特徴とするアダプタ。
【請求項２６】
アイウエアと結合するように構成されたアダプタであって、
前記アイウエアの少なくとも一部と結合するための結合手段と、
ユーザのほおの一部を覆って汚染物質がユーザの両目を汚染するのを防止すべく、ユーザの顔の一部を覆うように下側へ延びるように構成された一対のフラップとを備えることを特徴とするアダプタ。
【請求項２７】
請求項２６に記載のアダプタであって、
前記結合手段が、前記アダプタに設けられた磁石を含み、
前記アイウエアが、該アイウエアを前記アダプタに着脱自在に結合させるように機能する磁石をさらに含むことを特徴とするアダプタ。
【請求項２８】
請求項２７に記載のアダプタであって、
前記マスクが前記アダプタに結合されたことを特徴とするアダプタ。
【請求項２９】
請求項２６に記載のアダプタであって、
前記結合手段が、前記アダプタに設けられたフックアンドループ材料を含み、
前記アイウエアが、該アイウエアを前記アダプタに着脱自在に結合させるように機能するフックアンドループ材料をさらに含むことを特徴とするアダプタ。
【請求項３０】
請求項２９に記載のアダプタであって、
前記マスクが前記アダプタに結合されたことを特徴とするアダプタ。
【請求項３１】
請求項２６に記載のアダプタであって、
前記結合手段が、前記アダプタに提供された粘着剤を含み、
前記アイウエアが、前記アイウエアを前記アダプタに着脱自在に結合させるように機能する粘着剤をさらに含むことを特徴とするアダプタ。
【請求項３２】
請求項３１に記載のアダプタであって、
前記マスクが前記アダプタに結合されたことを特徴とするアダプタ。
【請求項３３】
請求項２６に記載のアダプタであって、
前記結合手段が、前記アダプタに設けられた舌片及び溝からなる指し込み式構造の一方を有し、
前記アイウエアが、前記舌片及び溝からなる指し込み式構造の他方を有し、
舌片及び溝からなる指し込み式構造によって、前記アイウエアを前記アダプタに着脱自在に結合させるようにしたことを特徴とするアダプタ。
【請求項３４】
請求項３３に記載のアダプタであって、
前記マスクが前記アダプタに結合されたことを特徴とするアダプタ。
【請求項３５】
請求項２６に記載のアダプタであって、
前記マスクが前記アダプタ及び前記アイウエアに結合され、
前記アイウエアがイヤーピースを具備しておらず、
前記マスクとアダプタとで協力して、前記アイウエアをユーザの両目の上の位置で保持するようにしたことを特徴とするアダプタ。
【請求項３６】
請求項３５に記載のアダプタであって、
前記マスクが前記アダプタに結合されたことを特徴とするアダプタ。
【請求項３７】
ユーザの両目を保護するためのアイウエアと保護フラップとを備えるアッセンブリであって、
前記アイウエアは、ユーザの顔から所定距離離れた位置でユーザの両目を覆うための、ユーザの鼻の近傍に位置する第１の部分、ユーザの両目の外縁の近傍に位置する第２の部分及び外縁を含む少なくとも１つのレンズと、前記アイウエアの少なくとも一部に取り付けられた一対のイヤーピースとを備え、
前記保護フラップは、前記レンズの下縁に隣接して着脱自在に配置され、ユーザの両目の外縁の一方から他方へユーザの鼻の一部を横切って延び、かつユーザのほおの一部を覆うように延びるように構成されたことを特徴とするアッセンブリ。
【請求項３８】
請求項３７に記載のアッセンブリであって、
前記フラップが弾性材料から作成されることを特徴とするアッセンブリ。
【請求項３９】
請求項３８に記載のアッセンブリであって、
前記フラップがシリコンを含むことを特徴とするアッセンブリ。
【請求項４０】
請求項３８に記載のアッセンブリであって、
前記フラップがウレタンを含むことを特徴とするアッセンブリ。
【請求項４１】
請求項３７に記載のアッセンブリであって、
前記フラップが、前記レンズの下縁を受容するように構成された溝を有する上縁を備えることを特徴とするアッセンブリ。
【請求項４２】
請求項３８に記載のアッセンブリであって、
マスクをさらに備えることを特徴とするアッセンブリ。
【発明の詳細な説明】
【技術分野】
【０００１】
本発明はアイウエアに関し、特に、保護用及び／又はスポーツなどの運動用に使用されるアイウエアに関する。
【背景技術】
【０００２】
工業的用途における保護用アイウエアは、ユーザの両目を保護するために使用される。このようなアイウエアは、有毒ガス、液体、粒子、汚染物質などがユーザの両目に接触したり影響を及ぼしたりすることがないように、通常は、ユーザの顔に比較的接近して装着されるように設計されている。同様に、ユーザの顔を保護するために、並びに空気中の汚染物質をフィルタ処理して除去するために、マスクがさらに必要とされることが多い。
【０００３】
保護用眼鏡又はアイウエアは、装着するのにはかさばるかつ重くなるように設計及び形成されていることが多い。また、ゴーグルやマスクなどは、ぴったりと装着されるので、付け心地が悪い。さらに、このようなアイウエアは、少ない種類のサイズのみで提供されることが多いため、全てのユーザの顔にぴったりと装着されるわけわけではない。さらに、多くの場合は、マスクをアイウエアと重ね合わせる必要がある、或いは、アイウエアをマスクと重ね合わせる必要がある。その結果、ぴったりと装着されなかったり、汚染物質がアイウエア及びマスクの両方に侵入する可能性が生じたりする。さらに、この組み合わせは、多くの場合は、付け心地を悪くしたり、視覚及び／又は呼吸を制限したりする。その結果、アイウエアと共にマスクを装着及び着用することについてのユーザの規則遵守を低下させる。
【０００４】
そのため、軽量で、調節可能で、マスクに対する快適な装着性が得られる保護用アイウエア、並びに、保護用眼鏡に対する快適な装着性が得られるマスクが望ましい。このようなアイウエアは、前記アイウエアに内蔵されたアダプタを備え、かつ付け心地の良さ及びユーザの両目に対する十分な保護を提供することが望ましい。或いは、そのようなアダプタは、別個に設けることもできる。さらに、マスクは、該マスクを保護用眼鏡へ、アイウエア又はマスクを大幅に及び不快に重ね合わせることなく容易に取り付けることができる機構を備えることが望ましい。このようなアイウエア及びマスクは、アイウエアを装着するのにより魅力的な設計特性を提供すると同時に、ユーザの両目に対する保護を提供することが望ましい。
【発明の開示】
【課題を解決するための手段】
【０００５】
（定義）
【０００６】
ここで使用される「眼鏡」又は「アイウエア」という用語は、アイウエア、ゴーグル、又は他の目にかける物を指す。
【０００７】
ここで使用される「イヤーピース（ear piece）」（単数又は複数）という用語は、眼鏡又はアイウエアにおけるレンズ及び／又はフレームからユーザの耳の部分の上及び／又は周囲に向かって延びて、ユーザの頭部上での前記眼鏡又はアイウエアの保持を補助するための部分を指す。
【０００８】
ここで使用される「ぴったりフィットする（custom fit）」という表現は、適切なサイズ、形状、及び個人にフィットするように（特に、個人の身体の或る領域の輪郭にフィットするように）設けられた又は作成されたアイテムに関連する（例、「この靴は、私の足によくフィットするように作られている」）。
【０００９】
ここで使用される「輪郭（contour）」は、外形又は何らかの形にフィットするように形作られたアイテムの少なくとも一部分を指す（例、「輪郭シート（contour sheet）」）。ここで使用される「ヒンジ」（単数又は複数）という用語は、固定された構成要素に対して接続され、或るパーツの前記構成要素に対する枢動又は回動を可能にする、関節のある又は柔軟性のあるデバイスを指す。ヒンジとしては、これらに限定されるものではないが、ドアをフレームに対して固定するのに使用される金属製の枢動可能コネクタ、及び、一体ヒンジ（living hinge）などが挙げられる。一体ヒンジは、プラスチックから構成し、２つの部材間に一体的に形成することができる。一体ヒンジは、一方の部材の、他方の結合された部材に対する枢動自在な動作を可能にする。
【００１０】
ここで使用される「汚染する（contaminate）」、「汚染物質（contaminant）」及び／又は「汚染（contamination）は、接触によって汚れた又は不純な状態にすることを意味する。そのような接触は、液体、固体及び／又は気体により行われ得る。例えば、これらに限定されるものではないが、靴を汚す泥、空気を汚す有毒ガス、きれいなおむつを汚す体液などが挙げられる。
【００１１】
ここで使用される「締結具（fastener）」という用語は、複数の構成要素を互いに、締結、結合、接続、固定、保持、又はクランプするデバイスを意味する。締結具としては、これらに限定されるものではないが、ねじ、ナット及びボルト、リベット、スナップ式、タック（tack）、くぎ、噛み合い結合するオス／メスコネクタ（例えば、突出部を有するオス部分をその周囲に備えるフイッシュフックコネクタ）がある。オス部分をメス部分に挿入することにより、実質的に、２つの部分を互いに恒久的に固定する。
【００１２】
ここで使用される「結合（couple）」は、これらに限定されるものではないが、接合、接続、締結、連結、又は２つの物を互いに一体的に若しくは介在的に一体的に結合することを包含する。
【００１３】
ここで使用される「構成（設定）する（configure）」又は「構成（configuration）」という用語は、特定の用途又は使用を目的として、設計、配置、セットアップ又は形成すること意味する。例、荒れた地形用に構成された軍用車、そのシステムのパラメータを設定することによりコンピューターを設定する。
【００１４】
ここで使用される「実質的に」という用語は、あることを大いに又は非常に多い量で達成することを意味する。例えば、「実質的」に覆うとは、少なくとも９０％覆うことを意味する。
【００１５】
ここで使用される「整列」という用語は、物の直列又は並列の配置又は位置により保持される空間的性質を指す。
【００１６】
ここで使用される「方向」又は「位置」という用語は、ここでは同じ意味で使用され、ある物が配置される位置又は方向の空間的性質を指す。例、「時計の針の位置」。
【００１７】
ここで使用される「約」という用語は、規定の又は黙示的な範囲のプラスマイナス１０％の量を指す。
【００１８】
ここで使用される「弾性（resilient）」及び「弾力性（resiliency）」という用語は、物体及び／又は材料の、弾性限界を超えない範囲で変形させた後に元の形状又は位置に戻ることができるという物理的性質を指す。
【００１９】
ここで使用される「マスク」という用語は、人間のユーザに使用又は着用されることが知られているあらゆる種類のマスク又は呼吸マスク（respirator）を指す。
【００２０】
これらの用語は、以下の明細書中において、さらなる言語によって定義され得る。
【発明を実施するための最良の形態】
【００２１】
以下、本発明の１つ以上の実施形態について、図面を参照しつつ詳細に説明する。各実施形態及び実施例は、説明のみを目的としており、本発明を限定するものではない。例えば、ある実施形態の一部として例示又は説明した特徴を、他の実施形態に使用して、さらなる実施形態をもたらすことが可能である。本発明は、本発明の範囲及び精神に含まれるそのような及び他の変更及び変形を包含するものである。
【００２２】
保護用眼鏡及び／又はスポーツ用途に使用される眼鏡は通常は、目を保護するために、飛散防止プラスチックレンズで作られている。保護レンズは、耐衝撃性が異なる様々な材料から作成することができるが、或る基準では、材料の種類に関わらず、最も薄い所で１ミリメートルの最小厚さを保つことが提案されている。保護用眼鏡の保護レベルは、目的とする用途に基づいて変更することができる。例えば、医療に使用される保護用眼鏡は、飛散する血に対しての保護を想定している。一方、工場で使用される保護用眼鏡は、より強力なレンズ及びより強力なフレームを備えており、さらなるシールド又は安全機能も備え得る。保護用眼鏡のレンズは、視力矯正（補正又は拡大）のための形状に形成することもできる。或る保護用眼鏡は、矯正眼鏡又はサングラスの上に取り付けるように設計することができる。
【００２３】
同様に、フェイスシールド、ゴーグルなども使用可能であるが、それらは、かさばり、かつ重いため、常時使用されるわけではないことを或る研究では示唆している。そのため、フルフェイスシールド及び／又はゴーグルのレベルの保護が提供されないとしても、軽量なアイウエアが好ましい。そのようなアイウエアは、サイズが小さく、かさばらず、かつ軽量であるので、実際に、ユーザにより高い頻度で着用されるであろう。さらに、近年の研究では、保護用眼鏡が、軽量さと、より洗練されたデザインとの両方を兼ね備えている場合は、それらの特性の組み合わせは、適切な状況において保護用眼鏡の使用頻度を増加させることが示唆されている。
【００２４】
保護用眼鏡のレンズは、プラスチックから作成することが望ましい。様々な適切なプラスチックを使用することができる。アイウエアに使用されるプラスチックの例としては、ポリカーボネート（例えば、General Electric社（Fairfield, Connecticut）製のＬＥＸＡＮ（Ｒ））、アリル・ジグリコール・ポリカーボネート（例えば、PPG Industries社（Pittsburgh, Pennsylvania）製のＣＲ−３９（Ｒ））、及び熱可塑性エラストマー（例えば、GLS社（McHenry, Illinois）製のKraton（Ｒ）又はDynaflex（Ｒ））などがある。
【００２５】
他の材料を使用してレンズを作成することも可能である。そのような他の材料は、レンズにさらなる特性を付与するために、これらに限定されるものではないが、例えば、コーティング、被覆などによってレンズに加えられる又は提供される。前記特性としては、これらに限定されるものではないが、例えば、紫外線（ＵＶ）防護、抗霧保護、抗反射保護などがある。保護用及び／又はスポーツ用眼鏡は、一定の要件に従って格付けされることが望ましい。米国では、米国規格協会（American National Standards Institute：ＡＮＳＩ）が、保護用眼鏡についての様々な基準及び格付けを規定している。保護用眼鏡は、例えば、飛散する破片、熱、火花、酸の飛沫、吹き付け加工材料、まぶしさ、放射線などに対する能力に従って格付けされる。
【００２６】
保護用及び／又はスポーツ用眼鏡は、家庭での作業において、様々な用途がある。保護用眼鏡は、塗装中やガラス切断中などに使用することができる。また、様々な種類のスポーツにおいて、保護アイウエアが有用であることが見出されている。保護用眼鏡又はアイウエアは、工業、家庭及びスポーツにおける新しい用途でますます必要とされている。
【００２７】
アイウエアは、使い捨てマスク及び／又は呼吸マスクと共に装着した際に、ユーザのパフォーマンスを高めることが望ましい。前記アイウエア及びマスクは、各々の装着、着用及び取り外しが容易となり、各々がユーザの顔にフィットし、互いに邪魔となることなくその機能を発揮するように、ユーザの顔の形状と協力して作用することが望ましい。
【００２８】
一般的に図１〜１０を参照して、特に図１及２に示すように、本発明は、ユーザの目を保護するように構成されたアイウエアを提供する。本発明では、アイウエア１０は、少なくとも１つのレンズ１２を備えている。前記レンズは、両目１８を覆うために、ユーザの顔１４を一般的に横切るように延びる、特にユーザの鼻を横切るように延びる単レンズ１２を含み、それによって、両目１８を保護する。或いは、前記アイウエアは、一対のレンズを含み得る（図示せず）。
【００２９】
図１及び２に示すように、レンズ１２は、ユーザの両目１８を保護するために、ユーザの両目１８から所定距離２０だけ離れて、両目１８を覆う又は両目１８の前方に延在するように構成されることが望ましい。レンズ１２は、ユーザの鼻１６の近傍に位置する少なくとも１つの（この実施形態では一対の）第１の部分２２を有することが望ましい。また、レンズ１２は、ユーザの目１８の近傍に位置する一対の第２の部分２４を有することが望ましい。レンズ１２は、ユーザの鼻１６を跨いで位置する連結部分２６を有する。レンズ１２は、該レンズ１２の外縁２９の少なくとも一部の周囲に位置するフレーム２７を有する。しかし、レンズは、フレームを有していなくともよい（図示せず）。
【００３０】
一対のイヤーピース２８が、レンズ及び／又はフレームに結合されていることが望ましい。本実施形態では、イヤーピース２８は、フレーム２７の一部に結合される。各イヤーピース２８は、レンズ１２をユーザの顔１４の近傍で保持するように構成されている。各イヤーピース２８は、第１の端部３２と第２の端部３４を有することが望ましい。テンプルピースが、第１の端部３２と第２の端部３４との間に延びることが望ましい。
【００３１】
各イヤーピース２８の第１の端部３２は、レンズ１２の第２の部分２４の近傍に枢動可能に結合されることが望ましい。各イヤーピース２８の第２の端部３４は、アイウエア１０を装着した際に、ユーザの耳３６の一部の上及び／又は周囲に位置することが望ましい。同様に、テンプルピース３５は、ユーザのこめかみ３８に隣接して位置するように構成されることが望ましい。
【００３２】
テンプルピース３５及び第２の端部３４は、複数のノッチを有し得る。各ノッチ４０は、磁石、接着剤（例えば、これに限定されるものではないが、凝集性接着剤）、摩擦要素（例えば、ゴム突起又はリブ）、又は当該技術分野では周知の他の結合機構を含み得る。或いは、イヤーピース２８の任意の部分に、１つ以上の開口を含み得る。
【００３３】
フレーム（又はレンズ）２７は、ユーザの鼻１６の上に位置するノーズピース４２を有することが望ましい。ノーズピース４２はアダプタ又はアイウエアカプラー４４を含み、アイウエアカプラー４４によって、ノーズピース４２を、マスク５０のノーズピース４８に設けられた関連するアダプタ又はマスクカプラー４６に結合させるようにすることが望ましい。
【００３４】
アイウエアカプラー４４は、マスク５０上で関連するマスクカプラー４６と協力する限り、アイウエア１０の他の位置に配置することもできる。同様に、マスクカプラー４６も、他の場所に配置することもできる。しなしながら、通常は、アイウエア１０とマスクとを一体に結合するための望ましい位置は、ユーザの鼻１４及び／又はほお５２と考えられる（ただし、これらの位置は限定を意図するものではない）。アイウエアカプラー４４とマスクカプラー４６は、例えば、アイウエアカプラーに舌片を設け、マスクカプラーに溝を設けた舌片及び溝からなる指し込み式構造（tongue and groove member）によって、協力的に機械的結合される。或いは、アイウエアカプラーとマスクカプラーは互いに噛み合わせることにより結合される。さらなる実施形態では、アイウエアカプラー及び／又はマスクカプラーは、例えば粘着剤（pressure sensitive adhesive）などの接着剤（adhesive）を使用し得る。別の実施形態では、アイウエアカプラー及びマスクカプラーは、凝集性接着剤（cohesive adhesive）を使用し得る。さらなる別の実施形態では、アイウエアカプラー及びマスクカプラーは、フックアンドループ材料（hook and loop material）を使用し得る。当然のことながら、他の機械的ファスナも、アイウエアカプラー及びマスクカプラーに使用し得る。
【００３５】
また一方、本実施形態では、アイウエアカプラー４４及びマスクカプラー４６は、磁石を含む。すなわち、アイウエアカプラー４４及びマスクカプラー４６の各々が、互いに引き付けあう磁石を含む。したがって、アイウエア１０及びマスク５０は、アイウエアカプラー４４とマスクカプラー４６との間の磁力によって、着脱自在に結合された配置に保たれる。
【００３６】
マスク５０は、フックアセンブリ５４によってアイウエアに取り付けられる。フックアセンブリ５４は、マスク５０の周縁部分５５をユーザの顔１４に密着させることができることが望ましい。フックアセンブリ５４は、複数のフックコネクタ５６を備える。各フックコネクタ５６の結合端５６には、マスク５０の周縁部分５５に着脱自在に結合されたファスナ６０が結合される。各フックコネクタ５６は、結合端５８ｂとは反対側の端部に、フック６２を有することが望ましい。各フック６２は、例えば、ゴムや磁石などの結合機構を有し得る。コード６４が、各結合端５８と各フック６２との間に延びることが望ましい。
【００３７】
本発明では、各フック６２は、複数のノッチ４０の各々に配置された１つ以上の磁石に引き付けられる磁石を有し、磁力によってマスク５０のアイウエア１０への結合を補助する。或いは、イヤーピース２８が１つ以上の複数の開口を有する場合は、各フックを前記開口内に位置させることにより、マスクのアイウエアへの結合を補助する。
【００３８】
当然のことながら、アイウエア１０は、マスク５０を用いることなくユーザに装着及び着用することができる。同様に、当然のことながら、マスク５０は、アイウエア１０及びフックアセンブリを用いることなく着用することができる。さらに、マスク５０は、マスクカプラー４６とアイウエアカプラー４４との間のみの結合を介して、アイウエア１０に結合され得る（図示せず）。他の実施形態では、アイウエア１０は、フックアセンブリ５４のみを使用してマスクに結合され得る（図示せず）。
【００３９】
本発明の他の実施形態では、図４〜７に示すアイウエア１１０及びマスク１５０は、詳細に前述した図１〜３のアイウエア１０及びマスク５０と類似しているが、アイウエア１１０及びマスク１５０はアイウエア１０及びマスク５０とは異なるいくつかの機構を有している。
【００４０】
図４〜７に示すように、本発明は、ユーザの目を保護するように構成されたアイウエアを提供する。本実施形態では、アイウエア１１０は、少なくとも１つのレンズ１１２を備えている。前記レンズは、両目１８を覆うために、ユーザの顔１４を一般的に横切るように延びる、特にユーザの鼻を横切るように延びる単レンズ１２を含み、それによって、両目１８を保護する。或いは、前記アイウエアは、一対のレンズを含み得る（図示せず）。
【００４１】
レンズ１１２は、ユーザの両目１８を保護するために、ユーザの両目１８から所定距離１２０だけ離れて、両目１８を覆う又は両目１８の前方に延在するように構成されることが望ましい。レンズ１１２は、ユーザの鼻１６の近傍に位置する少なくとも１つの（この実施形態では一対の）第１の部分１２２を有することが望ましい。また、レンズ１１２は、ユーザの鼻１６を跨いで位置する連結部分１２６を有する。レンズ１１２は、該レンズ１１２の外縁１２９の少なくとも一部の周囲に位置するフレームを有し得る（図示せず）。しかし、図示するように、レンズ１１２は、フレームを有していなくともよい。
【００４２】
一対のイヤーピース１２８が、レンズ及び／又はフレームに結合されていることが望ましい。本実施形態では、イヤーピース１２８は、レンズの第２の位置１２４の近傍でレンズに結合される。各イヤーピース１２８は、レンズ１１２をユーザの顔１４の近傍で保持するように構成されている。各イヤーピース１２８は、第１の端部１３２と第２の端部１３４を有することが望ましい。テンプルピース１３５が、第１の端部１３２と第２の端部１３４との間に延びることが望ましい。
【００４３】
各イヤーピース１２８の第１の端部１３２は、レンズ１１２に又はその近傍に、枢動可能に結合されることが望ましい。各イヤーピース１２８の第２の端部１３４は、アイウエア１１０を装着した際に、ユーザの耳３６の一部の上及び／又は周囲に位置することが望ましい。同様に、テンプルピース１３５は、ユーザのこめかみ３８に隣接して位置するように構成されることが望ましい。
【００４４】
レンズ１１２（又はフレーム、フレームが設けられた場合は）は、図６に示すように、ユーザの鼻１６の上に位置するように構成された着脱自在のノーズピースアダプタ１４２を有することが望ましい。ノーズピースアダプタ１４２は、２つの面を有し得る。ノーズピースアダプタ１４２の一方の面は、ノーズピースアダプタ１４２のアイウエア１１０への結合を可能にするアイウエアアダプタ１４４を含み得る。ノーズピースアダプタ１４２の他方の面は、アイウエア１１０とマスク１５０の一体化を保持するために、ノーズピースアダプタ１４２をマスク１５０のノーズピース１４８と結合させることを可能にするマスクアダプタ１４６を含み得る。本実施形態では、アダプタ１４２はノーズピースとして設けられているが、他の位置又は隣接する位置で他のアダプタを使用して、アイウエア１１０をマスク１５０（図示せず）に対して着脱自在に結合させることができることに留意されたい。したがって、ノーズピースは、非限定的な実施形態を意図している。
【００４５】
ノーズピースアダプタ１４２とアイウエアは、例えば、アイウエアに舌片を設け、ノーズピースアダプタ１４２に溝を設けた（又はその逆の）舌片及び溝からなる指し込み式構造（tongue and groove member）によって、協力的に機械的結合される。このことは、ノーズピースアダプタ１４２とマスク１５０との結合においても同様である。したがって、ノーズピースアダプタ１４２は、ここに示した及び／又は説明した、又は当該技術分野で周知の、任意の結合手段を使用することができる。アダプタ１４２はまた、標準的な取り外し可能なノーズピースという別個の構成要素として設けることもできる。或いは、アダプタ１４２は、前記ノーズピース又はアイウエア１１０に結合するように別々に設けることもできる。
【００４６】
また一方、本実施形態では、図４及び５に示すように、ノーズピースアダプタ１４２は、マスク１５０へ結合させるためのアダプタに加えて、ノーズピースを提供する。この結合は、マスク１５０の周縁部分１５５に結合された１つ以上のストラップ１７０を取り外すことを可能にするので、ユーザにとってかさばらなくなる。また、マスク１５０のノーズピース１４８をアイウエア１１０に対して保持するアダプタ１４２によって、マスク１５０のユーザの顔への固定は良好に維持される。
【００４７】
他の実施形態では、マスク１５０はユーザの顔１４に取り付けされ、ノーズピースアダプタ１４２はマスク１５０とアイウエア１１０との間に配置される。この場合は、図７に示すように、アイウエア１１０は、イヤーピースを具備しておらず、ノーズピースアダプタ１４２を介してマスク１５０に結合された単レンズ１１２のみを具備する。この場合は、アイウエアはイヤーピースを具備していないので、図７の単レンズがユーザの両目１８の前方に位置するように、アダプタ１４２とマスク１５０とが協力してアイウエア１１０を保持する。
【００４８】
本発明の別の実施形態では、図８〜１０に示すアイウエア２１０及びマスク１５０は、詳細に前述した図４〜７のアイウエア１１０及びマスク１５０と非常に類似しているが、アイウエア２１０及びマスク２５０がノーズピースアダプタ１４２ではなくフラップアダプタ２７０によって相互接続される点が異なる。
【００４９】
図８〜１０に示すように、本発明は、ユーザの目を保護するように構成されたアイウエアを提供する。本実施形態では、アイウエア２１０は、少なくとも１つのレンズ２１２を備えている。前記レンズは、両目１８を覆うために、ユーザの顔１４を横切るように延びる、特にユーザの鼻１６を横切るように延びる単レンズ２１２を含み、それによって、両目１８を保護する。或いは、前記アイウエアは、一対のレンズを含み得る（図示せず）。
【００５０】
レンズ２１２は、ユーザの両目１８を保護するために、ユーザの両目１８から所定距離２２０だけ離れて、両目１８を覆う又は両目１８の前方に延在するように構成されることが望ましい。レンズ２１２は、ユーザの鼻１６の近傍に位置する少なくとも１つの（この実施形態では一対の）第１の部分２２２を有することが望ましい。また、レンズ２１２は、ユーザの鼻１６を跨いで位置する連結部分２２６を有する。レンズ２１２は、該レンズ２１２の外縁２２９の少なくとも一部の周囲に位置するフレーム（図示せず）を有し得る。しかし、図示するように、レンズ２１２は、フレームを有していなくともよい。
【００５１】
一対のイヤーピース２２８が、レンズ及び／又はフレームに結合されていることが望ましい。本実施形態では、イヤーピース２２８は、レンズの第２の位置２２４の近傍でレンズに結合される。各イヤーピース２２８は、レンズ２１２をユーザの顔１４の近傍で保持するように構成されている。各イヤーピース２２８は、第１の端部２３２と第２の端部２３４を有することが望ましい。テンプルピース２３５が、第１の端部２３２と第２の端部２３４との間に延びることが望ましい。
【００５２】
各イヤーピース２２８の第１の端部２３２は、レンズ２１２に又はその近傍に、枢動可能に結合されることが望ましい。各イヤーピース２２８の第２の端部２３４は、アイウエア２１０を装着した際に、ユーザの耳３６の一部の上及び／又は周囲に位置することが望ましい。同様に、テンプルピース２３５は、ユーザのこめかみ３８に隣接して位置するように構成されることが望ましい。
【００５３】
図１０に示すように、フラップアダプタ２７０が設けられ、アイウエア２１０と共に装着される。フラップアダプタ２７０は、これに限定されるものではないが、レンズ２１２の外縁２２９及び連結部分２２６の輪郭及びその下部２７４をなぞる形状を有する溝部２７２を有することが望ましい。フラップアダプタ２７０は、ユーザのほお５２によって支持されるべく下側に延びる一対のフラップ２７５を有する。フラップ２７５は、図９に示すように、アイウエア２１２下側から進入する汚染物質に対する保護をアイウエア２１２に提供する働きをする。また、フラップアダプタ２７０は、マスク２５０を、アイウエア２１２及びフラップアダプタ２７０と共に装着することを可能にする。
【００５４】
この場合、図８に示すように、フラップアダプタ２７０は、マスク２５０をフラップアダプタ２７０の一部にアイウエア２１２の邪魔となることなく快適に装着できるような付け心地の良さとクッション性を提供する。加えて、フラップアダプタ２７０は、前述したような、マスク２５０をフラップアダプタ２７０の一部に結合させるためのアダプタを含み得る。
【００５５】
フラップアダプタ２７０は、これらに限定されるものではないが、例えばシリコンやウレタンなどの柔軟で弾力性のある材料から作成することが望ましい。フラップアダプタ２７０は、使い捨て又は再利用可能であり得、これに限定するものではないが、例えば高吸収剤や乾燥剤などによって水蒸気をユーザの顔から除去する特性を含み得る。フラップアダプタ２７０は、ここに示した及び／又は説明した任意の手段によって、アイウエア２１０及び／又はマスク２５０に結合することができる。
【００５６】
当然のことながら、ある実施形態の機構及び／又は構成要素は、全体的に又は部分的に他の実施形態と組み合わせることができる。ある環境では、そのような組み合わせは、さらなる別の実施形態を生み出すことが可能である。
【００５７】
以上、本発明の好適な実施形態について説明したが、本発明は上述した特定の実施形態に限定されるものではないことを理解されたい。それどころか、或る構成要素及び／又は物品は、他の構成要素及び／又は物品と共に使用することができることに留意されたい。本発明の主題は、特許請求の範囲の精神と範囲の中に含むことができる限り、あらゆる代替形態、変形形態及び均等形態を包含するものである。
【図面の簡単な説明】
【００５８】
【図１】本発明の側面図であり、ユーザの目を横切るように延びる一般的なレンズと、マスクをアイウエアに対して保持するのを助力するフックアッセンブリとを備えたアイウエアを示している。
【図２】図１に示したアイウエアの斜視図である。
【図３】アイウエアカプラーを有するアイウエアのノーズピースの一部と、マスクカプラーを有するマスクのノーズピースの一部とを示す斜視図である。
【図４】本発明の他の実施形態の側面図であり、着脱自在に結合されたノーズピースアダプタを備えたアイウエアを示している。
【図５】図４と類似した斜視図であるが、マスクをノーズピースアダプタに結合させた状態を示している。
【図６】ノーズピースアダプタの斜視図である。
【図７】マスクの斜視図であり、イヤーピースを具備せずレンズのみを有するアイウエアにマスクを結合させるために、ノーズピースアダプタを使用した状態を示している。
【図８】本発明の別の実施形態を示す側面図であり、フラップアダプタ及びマスクが取り付けられたアイウエアを示している。
【図９】図８と類似した斜視図であるが。マスクを取り付けていない状態のアイウエア及びフラップアダプタを示している。
【図１０】図８及び９に示したフラップアダプタの斜視図である。
【図１】
2009535079.tif 000003
【図２】
2009535079.tif 000004
【図３】
2009535079.tif 000005
【図４】
2009535079.tif 000006
【図５】
2009535079.tif 000007
【図６】
2009535079.tif 000008
【図７】
2009535079.tif 000009
【図８】
2009535079.tif 000010
【図９】
2009535079.tif 000011
【図１０】
2009535079.tif 000012
【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
ユーザの両目を保護するためのアイウエアであって、
ユーザの顔から所定距離離れて位置し、ユーザの両目を前記所定距離離れて覆うように構成され、ユーザの鼻の近傍に位置する第１の部分及びユーザの目の外縁の近傍に位置する第２の部分を有する少なくとも１つのレンズと、
前記アイウエアの少なくとも一部に取り付けられた一対のイヤーピースと、
前記アイウエアの少なくとも一部に結合され、かつ、マスクと結合されるように構成された少なくとも１つのアダプタとを備えることを特徴とするアイウエア。
【請求項２】
請求項１に記載のアイウエアであって、
前記アダプタが、前記アイウエア及び前記マスクの両方に結合可能とするための結合手段を含むことを特徴とするアイウエア。
【請求項３】
請求項２に記載のアイウエアであって、
前記アダプタが、磁石を含むことを特徴とするアイウエア。
【請求項４】
請求項２に記載のアイウエアであって、
前記アダプタが、フックアンドループ材料から構成されることを特徴とするアイウエア。
【請求項５】
請求項２に記載のアイウエアであって、
前記アダプタが、舌片及び溝からなる指し込み式構造の一方を有し、
前記アイウエアが、前記舌片及び溝からなる指し込み式構造の他方を有し、
前記舌片及び溝からなる指し込み式構造によって前記アダプタを前記アイウエアに結合させるようにしたことを特徴とするアイウエア。
【請求項６】
請求項５に記載のアイウエアであって、
前記アダプタにタンアンドグルーブ構造の一方を設け、
前記マスクに前記タンアンドグルーブ構造の他方を設け、
前記タンアンドグルーブ構造によって前記マスクを前記アダプタに結合させるようにしたことを特徴とするアイウエア。
【請求項７】
請求項２に記載のアイウエアであって、
前記アダプタが接着剤であることを特徴とするアイウエア。
【請求項８】
請求項７に記載のアイウエアであって、
前記アダプタが凝集性接着剤であることを特徴とするアイウエア。
【請求項９】
請求項２に記載のアイウエアであって、
前記アダプタが機械的ファスナを含むことを特徴とするアイウエア。
【請求項１０】
請求項１に記載のアイウエアであって、
前記各イヤーピースが、少なくとも１つの磁石を有することを特徴とするアイウエア。
【請求項１１】
請求項１０に記載のアイウエアであって、
前記イヤーピースと磁気的に結合するための、ファスナとフックコネクタとを含むフックアッセンブリをさらに備え、
前記フックコネクタが、前記イヤーピースと磁気的に結合するように構成された少なくとも１つの磁石を有し、
前記ファスナが、マスクの周縁部分と結合するように構成され、
前記マスクを前記アイウエアに結合させたときに、前記フックアッセンブリによって前記マスクが前記アイウエアに対して保持されるようにしたことを特徴とするアイウエア。
【請求項１２】
アイウエアをマスクに対して保持するためのアダプタであって、
前記アイウエアの少なくとも一部を前記マスクの少なくとも一部に、前記アイウエアと前記マスクとを互いに着脱自在に結合させるように構成された結合手段を備ることを特徴とするアダプタ。
【請求項１３】
請求項１２に記載のアダプタであって、
前記結合手段が、前記アダプタに設けられた別の磁石を含み、
前記アイウエアが、該アイウエアを前記アダプタに着脱自在に結合させるように機能する別の磁石をさらに含むことを特徴とするアダプタ。
【請求項１４】
請求項１３に記載のアダプタであって、
前記マスクが、該マスクを前記アダプタに着脱自在に結合させるように機能する別の磁石をさらに含むことを特徴とするアダプタ。
【請求項１５】
請求項１２に記載のアダプタであって、
前記結合手段が、前記アダプタに設けられたフックアンドループ材料を含み、
前記アイウエアが、該アイウエアを前記アダプタに着脱自在に結合させるように機能するフックアンドループ材料をさらに含むことを特徴とするアダプタ。
【請求項１６】
請求項１５に記載のアダプタであって、
前記マスクが、該マスクを前記アダプタに着脱自在に結合させるように機能するフックアンドループ材料をさらに含むことを特徴とするアダプタ。
【請求項１７】
請求項１２に記載のアダプタであって、
前記結合手段が、前記アダプタに提供された粘着剤を含み、
前記アイウエアが、前記アイウエアを前記アダプタに着脱自在に結合させるように機能する接着剤をさらに含むことを特徴とするアダプタ。
【請求項１８】
請求項１７に記載のアダプタであって、
前記接着剤が、凝集性接着剤であることを特徴とするアダプタ。
【請求項１９】
請求項１７に記載のアダプタであって、
前記マスクが、前記マスクを前記アダプタに着脱自在に結合させるように機能する接着剤さらに含むことを特徴とするアダプタ。
【請求項２０】
請求項１９に記載のアダプタであって、
前記接着剤が、凝集性接着剤であることを特徴とするアダプタ。
【請求項２１】
請求項２１に記載のアダプタであって、
前記結合手段が、前記アダプタに設けられた舌片及び溝からなる指し込み式構造の一方を有し、
前記アイウエアが、前記舌片及び溝からなる指し込み式構造の他方を有し、
前記舌片及び溝からなる指し込み式構造によって前記アイウエアを前記アダプタに着脱自在に結合させるようにしたことを特徴とするアダプタ。
【請求項２２】
請求項２１に記載のアダプタであって、
前記結合手段が、舌片及び溝からなる指し込み式構造の一方を有し、
前記マスクが、前記舌片及び溝からなる指し込み式構造の他方を有し、
前記舌片及び溝からなる指し込み式構造によって前記マスクを前記アダプタに着脱自在に結合させるようにしたことを特徴とするアダプタ。
【請求項２３】
請求項１２に記載のアダプタであって、
前記アダプタが前記マスク及び前記アイウエアとに結合され、
前記アイウエアがイヤーピースを具備しておらず、
前記マスクと前記アダプタとで協力して、前記アイウエアをユーザの両目の上の位置で保持するようにしたことを特徴とするアダプタ。
【請求項２４】
請求項１２に記載のアダプタであって、
前記結合手段が、前記アダプタに設けられた機械的ファスナの一方を有し、
前記アイウエアが、前記機械的ファスナの他方を有し、
前記機械的ファスナによって前記アイウエアを前記アダプタに着脱自在に結合させるようにしたことを特徴とするアダプタ。
【請求項２５】
請求項２４に記載のアダプタであって、
前記結合手段が、前記アダプタに設けられた機械的ファスナの一方を有し、
前記マスクが、前記機械的ファスナの他方を有し、
前記機械的ファスナによって前記マスクを前記アダプタに着脱自在に結合させるようにしたことを特徴とするアダプタ。
【請求項２６】
アイウエアと結合するように構成されたアダプタであって、
前記アイウエアの少なくとも一部と結合するための結合手段と、
ユーザのほおの一部を覆って汚染物質がユーザの両目を汚染するのを防止すべく、ユーザの顔の一部を覆うように下側へ延びるように構成された一対のフラップとを備えることを特徴とするアダプタ。
【請求項２７】
請求項２６に記載のアダプタであって、
前記結合手段が、前記アダプタに設けられた磁石を含み、
前記アイウエアが、該アイウエアを前記アダプタに着脱自在に結合させるように機能する磁石をさらに含むことを特徴とするアダプタ。
【請求項２８】
請求項２７に記載のアダプタであって、
前記マスクが前記アダプタに結合されたことを特徴とするアダプタ。
【請求項２９】
請求項２６に記載のアダプタであって、
前記結合手段が、前記アダプタに設けられたフックアンドループ材料を含み、
前記アイウエアが、該アイウエアを前記アダプタに着脱自在に結合させるように機能するフックアンドループ材料をさらに含むことを特徴とするアダプタ。
【請求項３０】
請求項２９に記載のアダプタであって、
前記マスクが前記アダプタに結合されたことを特徴とするアダプタ。
【請求項３１】
請求項２６に記載のアダプタであって、
前記結合手段が、前記アダプタに提供された粘着剤を含み、
前記アイウエアが、前記アイウエアを前記アダプタに着脱自在に結合させるように機能する粘着剤をさらに含むことを特徴とするアダプタ。
【請求項３２】
請求項３１に記載のアダプタであって、
前記マスクが前記アダプタに結合されたことを特徴とするアダプタ。
【請求項３３】
請求項２６に記載のアダプタであって、
前記結合手段が、前記アダプタに設けられたタンアンドグルーブ構造の一方を有し、
前記アイウエアが、前記タンアンドグルーブ構造の他方を有し、
前記アイウエアを前記アダプタに着脱自在に結合させるようにしたことを特徴とするアダプタ。
【請求項３４】
請求項３３に記載のアダプタであって、
前記マスクが前記アダプタに結合されたことを特徴とするアダプタ。
【請求項３５】
請求項２６に記載のアダプタであって、
前記マスクが前記アダプタ及び前記アイウエアに結合され、
前記アイウエアがイヤーピースを具備しておらず、
前記マスクとアダプタとで協力して、前記アイウエアをユーザの両目の上の位置で保持するようにしたことを特徴とするアダプタ。
【請求項３６】
請求項３５に記載のアダプタであって、
前記マスクが前記アダプタに結合されたことを特徴とするアダプタ。
【請求項３７】
ユーザの両目を保護するためのアイウエアと保護フラップとを備えるアッセンブリであって、
前記アイウエアは、ユーザの顔から所定距離離れた位置でユーザの両目を覆うように構成され、ユーザの鼻の近傍に位置する第１の部分、ユーザの両目の外縁の近傍に位置する第２の部分、及び外縁を有する少なくとも１つのレンズと、前記アイウエアの少なくとも一部に取り付けられる一対のイヤーピースとを備え、
前記保護フラップは、前記レンズの下縁に隣接して着脱自在に配置され、ユーザの両目の外縁の一方から他方へユーザの鼻の一部を横切って延び、かつユーザのほおの一部を覆うように延びるように構成されたことを特徴とするアッセンブリ。
【請求項３８】
請求項３７に記載のアッセンブリであって、
前記フラップが弾性材料から作成されることを特徴とするアッセンブリ。
【請求項３９】
請求項３８に記載のアッセンブリであって、
前記フラップがシリコンを含むことを特徴とするアッセンブリ。
【請求項４０】
請求項３８に記載のアッセンブリであって、
前記フラップがウレタンを含むことを特徴とするアッセンブリ。
【請求項４１】
請求項３７に記載のアッセンブリであって、
前記フラップが、前記レンズの下縁を受容するように構成された溝を有する上縁を備えることを特徴とするアッセンブリ。
【請求項４２】
請求項３８に記載のアッセンブリであって、
マスクをさらに備えることを特徴とするアッセンブリ。
【国際調査報告】
2009535079.tif 000013
2009535079.tif 000014
2009535079.tif 000015